(57)【要約】【課題】    生ゴミを堆肥化するためのコンポストと呼ばれている従来品は、土の上でないと設置できなかったり、悪臭がしたり、ハエやコバエが寄ってきたり、すぐに一杯になったり、そのままではベタベタして扱いにくかったり、有害ガスのためにすぐに植物を植えられなくて、土に鋤きこんでから１ヶ月近く待つ必要があった。【解決手段】  本発明は、課題を解決するために、生ゴミ堆肥化容器の上部を広く細かい網目にして、その内部に生ゴミを広げて乾燥させるための網棚を設置し、積み重ねる前の生ゴミが少量のうちに、この網棚に広げて乾燥してから容器の底網の上に積み重ねるようにした。  容器の上には、雨水は防げるが風が通るように容器本体より大きくて、垂れつきの蓋を被せる。  なおかつ容器の底からも風が通るように、容器本体と底網共に設置面より浮くように足をつけた。【選択図】図４
2016130207.tif 000002
【特許請求の範囲】
【請求項１】
生ゴミ等を堆肥化するための容器であって、足１´を持つ容器本体１の側面の上部を網目２にして、網目２の内部の中ほどに、乾燥用の網棚３を設け、足５´つきの網５を底網として、容器本体１の上に、網目２の高さの垂れを付けた蓋４を被せた構成の、生ゴミ等堆肥化容器。
【請求項２】
容器本体と蓋を円筒状にして、網棚と底網を円形にした「請求項１」記載の生ゴミ等堆肥化容器。
【請求項３】
蓋４を、２分割出来るようにした「請求項１」記載の生ゴミ等堆肥化容器。
【請求項４】
蓋の容器本体１より大きくする部分と垂れの部分を、容器本体１に固定して、その上に容器本体１より少し大きな垂れ無しの蓋を重ねる構成の「請求項１」記載及び「請求項２」記載の生ゴミ等堆肥化容器。
【請求項５】
乾燥用の網棚３を引き出し式にした、「請求項４」記載の生ゴミ等堆肥化容器。（この場合には引き出すほうの蓋部分は上へ折り曲げることが出来る構造とする。）
【発明の詳細な説明】
【技術分野】
【０００１】  本発明は、生ゴミ等を効率よく堆肥にするための容器である。
【背景技術】
【０００２】    従来品には、プラスチック製の釣鐘型で底がない容器を土の上に置いて生ゴミ等を入れて上に蓋をしておくものが、コンポストと呼ばれていて、安価なのと、自治体の補助もあり、一時広く普及した。（例えば、特許文献１参照）【０００３】    有機物を堆肥にするためには、好気性微生物が働くことが絶対に必要であるが、好気性微生物が働くためには、まず通気があること、有機物の水分の割合が適度であること、有機物が死んでいること、（死んでないと微生物が内部に侵入できない。）、適当な温度であることが最低条件である。【０００４】      上記（０００３）の条件に近くなるように、生ゴミ等と一緒に鋸屑などの副資材を入れて、副資材に水分を吸収させて、電力や人力で攪拌するものもある。（例えば、特許文献２参照）【０００５】
【特許文献１】  特許出願  平１０−２６４０６１
【特許文献２】  特許出願  平１１−３３５８３０
【発明の開示】
【発明が解決しようとする課題】
【０００６】以上述べた従来のコンポストは土の上や砂の上に設置する必要がある。その主な理由は、密閉されているために生ゴミ等の水分が抜けず水滴となって流れ出してくることや、好気性微生物が生息できずに、嫌気性微生物だけが生息して（腐敗状態）悪臭がして、悪臭がハエや子バエを呼び寄せるなど、不衛生なことなどである。また、生ゴミ等の減容化も図れずに、すぐにいっぱいになるうえに、堆肥として使おうと思ってもベタベタして扱いにくいうえに、そのままでは腐敗のために発生する有害ガスのために植物にも害があるので、土に鋤きこんで１ヶ月前後も放置してからでないと、植物を植えたり種まきをすることが出来なかった。【０００７】  ほかの製品のなかには、上記の問題を解決するために、生ゴミ等を入れた上から乾いた土で蓋をしてまた生ゴミ等を入れて上から乾いた土で蓋をするなどして、乾いた土に生ゴミ等の水分を吸収させる使用法を奨めているものもあるが、生ゴミ等の減容化を図れないうえに、全体としては増える一方であり、すぐにいっぱいになり出来上がったものは重たく使いにくく、また乾いた土の入手や保管も面倒である。【０００８】    ［参考書籍］  生ゴミ  堆肥  リサイクル  家の光協会  第３章参照）【０００９】  鋸屑などの副資材を入れて生ゴミ等と一緒に攪拌するものは、土の上でなくても設置が出来て、消滅型などと呼ばれている場合があるが、副資材が水分を吸収するのにも限度があり次々と副資材を入れなければならず、結果的に全体の量が増える場合が多いうえに、人力の場合は攪拌が面倒である。【００１０】  本発明はこのような従来のコンポストが有していた問題を解決しようとするものであり、土や砂の上でなくても屋外であれば設置が可能であり、悪臭も少なく、副資材や乾いた土も必要なく、攪拌も必要なく、ハエや小バエも寄り付きにくく、そのうえ生ゴミ等が減容化されてすぐにいっぱいになることもなく、出来上がった堆肥はそのままでもすぐに植物を植えたり、種まきをすることができるうえ、取り出すのが簡単な、、生ごみ等の堆肥化容器を実現することを目的とするものである。
【課題を解決するための手段】
【００１１】  本発明は上記目的を達成するために、従来品と異なり、生ゴミ等を容器の底へ落としこむ前に、生ゴミ等を（０００３）で述べたような条件に近くなるようにして堆肥になりやすいようにするには、水分の割合が多い生ごみ等を乾燥させることが、大事だと考えた。そこで生ゴミ等を容器の内部で乾燥することが出来るように、生ゴミ等堆肥化容器本体（以下容器本体）の側面の上部を網目２にして、網目２の内部の中ほどに生ゴミ等を広げられるように乾燥用の網棚３を設けた。【００１２】  また第２の解決手段としては、容器本体１には底を設けないで足１´を付けるだけにして、容器本体１とは独立させた足５´付きの網５を底（以下底網）として、設置面と底網５の間からも風が入り、底網５の上に落とされた生ゴミ等の隙間を風が通るようにした。
このようにした上部に、容器本体１より大きく、また網目２に被さるような垂れを持った蓋４を被せる。【００１３】  このように構成された生ゴミ等堆肥化容器の使い方は、蓋４を開けて上部の乾燥用の網棚３の上に生ゴミ等を広げて蓋４を閉めておいて、次に生ゴミ等を入れる時に、乾燥によって水分の割合が少なくなり減容化された前回の生ゴミ等を容器の底網５の上に落とし込んでから、今回発生した生ゴミ等を上部の乾燥用の網棚３の上に広げて乾燥させる。この繰り返しを行う。
【発明の効果】
【００１４】  上述したように、本発明の生ゴミ等堆肥化容器は水滴が流れ出さないので、風が通る所であれば土の上でなくても、コンクリートなどの舗装の上にでも設置できる。【００１５】  また生ごみ等を風通しで乾燥させることによって、攪拌の必要も無く、乾いた土や鋸屑などの副資材を用いなくても、生ゴミ等を減容化出来るうえに、好気性微生物の働きが活発になり、その結果、悪臭もしなくなりハエや小バエも寄り付けにくいうえに、そのままでもすぐに植物を植えたり、種まきをすることが出来る堆肥になる。【００１６】  また、第２の課題解決手段による効果は、底全体を網にしたことにより、底網５の上に落とされた生ゴミ等の隙間を風が通り、好気性微生物の働きが活発になり、より一層堆肥化が進むうえに、出来上がった堆肥を取り出すときは、蓋４を外して容器本体１を持ち上げれば、堆肥は容器本体１とは独立した底網５と共にその場に残り、簡単に取り出すことが出来る。
【発明を実施するための最良の形態】  以下、本発明の実施の形態を図１〜図３に基いて説明する。【００１７】図においては、１は生ゴミ等を収納する容器本体で、足１´によって設置面から持ち上げられている。容器本体１の上部は細かい網目２になっていて、容器本体１の網目２の中ほどのところに乾燥用の網棚３を設ける。内部の底は足５´を持った底網５を、容器本体１とは独立して設置する。
容器本体１の上部に、容器本体１より大きくて網目２の高さの垂れを持った蓋４を被せる。【００１８】  本発明の生ゴミ等の堆肥化容器の形状は、蓋と容器本体は円筒状で乾燥用の網棚と足つきの網は円形でも、効果は一緒である。【００１９】  本発明の生ゴミ等堆肥化容器の蓋は、容器本体１より大きな部分と垂れの部分を容器本体１に固定して、その上に容器本体１より少し大きな垂れ無しの蓋を重ねたものでも良い。【００２０】  本発明の生ゴミ等の堆肥化容器の大きなものでは、蓋を２分割にしたほうが使いやすい。【００２１】上記構成の意義を説明する。生ゴミ等が発生したら、蓋４を持ち上げて乾燥用の網棚３の上に広げてから蓋４を被せる。このようにすれば蓋４をしたままでも、本体１と蓋４の大きさの違いから、網目２から内部に風が入り乾燥用の網棚３の、上からも下からも風が通るので、乾燥用の網棚３に広げた生ゴミ等が効率よく乾燥する。【００２２】次回に生ゴミ等が発生したら前回の生ごみ等を底網５の上に落としてから乾燥用の網棚３の上に広げる。【００２３】このような繰り返しで、底網５の上に落とされた生ゴミ等は、底網５の下部からも風が通り好気性微生物の働きがより活発になり堆肥に変わる。【００２４】堆肥がいっぱいになったら、蓋４を外して容器本体１を持ち上げれば底網５とその上の堆肥だけがその場に残り堆肥が取り出しやすい。
【図面の簡単な説明】
【００２５】
【図１】  本発明の実施形態を示す生ゴミ等堆肥化容器の図３におけるＡ−Ａ線断面図
【図２】  同堆肥化容器の、蓋を除いた平面図
【図３】  同堆肥化容器の側面図（蓋は持ち上げて描いてある。）
【符号の説明】
【００２６】  １    容器本体
１´  容器本体を設置面から浮かせるための足
２    網目
３    乾燥用の網棚
４    垂れ付きの蓋
５    底網
５´  底網の足
【図１】
2016130207.tif 000003
【図２】
2016130207.tif 000004
【図３】
2016130207.tif 000005
【手続補正書】
【提出日】平成27年5月20日(2015.5.20)
【手続補正１】
【補正対象書類名】明細書
【補正対象項目名】全文
【補正方法】変更
【補正の内容】
【発明の詳細な説明】
【技術分野】
【０００１】    本発明は生ゴミを効率よく堆肥にするための容器である。
【背景技術】
【０００２】    従来品には、プラスチック製の釣鐘型で底のない容器を、土に浅く埋めて生ゴミを次々に入れて蓋をしておくものが、コンポストと呼ばれていて、手軽で安価であり、自治体の補助が出るところもあり、一時広く普及した。（例えば特許文献１参照）【０００３】    有機物を堆肥にするためには、好気性微生物を繁殖させることが絶対に必要であるが、好気性微生物を繁殖させるためには、先ず有機物が死んでいること、（死んでないと微生物が内部に侵入できない）有機物の水分の割合が適度であること、適当な温度であること、通気があることが最低条件である。【０００４】    上記（０００３）の条件に近ずけるために、生ゴミと一緒におが屑などの副資材を一緒に入れて、副資材に水分を吸収させて、人力やモーターで攪拌させるものもある。
（例えば特許文献２参照）【０００５】
【特許文献１】  特許出願  平１０−２６４０６１
【特許文献２】  特許出願  平１１−３３５８３０
【発明の開示】
【発明が解決しようとする課題】
【０００６】    以上述べたように従来のコンポストと呼ばれているものは、土や砂に浅く埋めて使用する必要がある、その主な理由は、水分の多い生ゴミを次々と積み重ねて、ハエやコバエを防ぐために密閉する構造の蓋をするために、生ゴミの水分が蒸発しなくて、水滴となって流れ出してくることや、堆肥化に有効な好気性微生物が繁殖できずに、謙気性微生物だけが繁殖するため（腐敗状態）悪臭がして、その悪臭がハエやコバエを呼び寄せるなど不衛生なことなどが理由だと考えられます。
また水分が蒸発しないため、生ゴミの減容化も図れないので、すぐに一杯になるうえに、堆肥として使おうと思ってもベタベタして扱いにくいし、そのままでは腐敗のために発生する有害ガスのために植物に害があるので土に鋤きこんで１ヶ月前後放置してからでないと植物を植えたり種まきをすることが出来なかった。【０００７】    他の製品のなかには、上述の問題を解決するために、生ゴミを入れた上から乾いた土を被せて、また生ゴミを入れて乾いた土を被せるの繰り返しで、乾いた土に生ゴミの水分を吸収させる使用法を奨めているものもあるが、生ゴミの減容化を図れないうえに、全体としては増える一方であり、すぐに一杯になり出来上がったものは重たくて使いにくく、また乾いた土の入手や保管も面倒である。【０００８】
【参考書籍】
生ゴミ堆肥リサイクル    家の光協会  第３章
【０００９】      おが屑などの副資材を入れて生ゴミと一緒に攪拌するものは、土の上でなくても設置が出来て消滅型と呼んでいる場合があるが、結果的に全体の量が増える場合が多いうえに、人力で攪拌する場合は攪拌作業が面倒である。
【００１０】      本発明はこのような従来のコンポストと呼ばれているものが有している問題を解決しようとするものであり、土の上でなくても屋外であれば設置が可能であり、悪臭もなく、副資材や乾いた土も必要がなく、また攪拌の必要もなく、ハエやコバエが寄り付きにくく、そのうえ乾燥させることによって生ゴミが減容化されるので、すぐに一杯になることもなく、堆肥化された生ゴミ堆肥は、そのままでもすぐに植物を植えたり、種まきが出来る生ゴミの堆肥化容器を実現することを目的とするものである。
【００１１】      本発明は上記の目的を達成するためには、生ゴミの水分量を減らすことが先ず大事だと考えた。
そこで生ゴミを積み重ねてからでは、乾燥が困難であるので、積み重ねる前の少量のうちに、容器の内部で乾燥することが出来るように、生ゴミ堆肥化容器の上部を網目２にして、ハエやコバエは防げるが、風が通るようにして、網目２の中ほどの高さに、生ゴミを広げて乾燥できるように網棚３を設けた。
【００１２】    そのうえに、底から積み重ねた生ゴミ内に繁殖した好気性微生物の繁殖を活発化させるために、底部分全体も強固な網５とした。底部分と容器本体には設置面より浮かせるためと、本体を固定するための足を付けた。
【００１３】      このようにした容器の上部に、容器本体より大きく網目２に被さるような垂れつきの蓋４を被せる。
【００１４】    このように構成された生ゴミ堆肥化容器の使い方は、蓋４を開けて上部の生ゴミを広げて乾燥させるための網棚３の上に、今回出た生ゴミを広げて、ハエやコバエや雨を防ぐための蓋４を被せておく。次回に生ゴミが出たときに、前回の生ゴミを容器の底網５の上に積み重ねてから、今回出た生ゴミを、乾燥させるための網棚３の上に広げて蓋４を被せておく。この繰り返しを行う。
【発明の効果】
【００１５】    上述したように本発明の生ゴミ堆肥化容器は、生ゴミを少量のうちに乾燥させてから、底網５の上に積み重ねる方法をとっているので、水滴が流れ出さない、よって土の上でなくても、コンクリートの上などにも設置が可能である。
【００１６】    また生ゴミを風通しで乾燥させてから、積み重ねるので、攪拌の必要もなく、乾いた土やおが屑なども必要がなく、ハエやコバエも寄り付きにくいうえに、腐敗による有害ガスの発生がないので、畑に施用してすぐでも植物を植えたり種まきが可能である。
【発明を実施するための最良の形態】
【００１７】    以下、本発明の実施の形態を図１〜図４に基て説明する。【００１８】    図においては、１は生ゴミを収納する容器本体で、足１´によって設置面から持ち上げられていて、底網５から上下方向に風が通るようになっている。【００１９】容器本体１の上部は細かい網目２になっていて、網目２の中ほどの高さに生ゴミを広げるための網棚３を設けてある。【００２０】この網棚３の上に生ゴミを広げて蓋４を被せれば、蓋４と網目２との大きさの違いから網目２から網棚３の上に広げた生ゴミの上と下に水平方向に風が通り生ゴミが乾燥する。【００２１】容器本体の内部の底には足５´で設置面より持ち上げられている底網５を設けてあり、網棚３で乾燥させた生ゴミを積み重ねておく場所とする。【００２２】    また下部の底網５からも上下方向の風が通り、底網５の上に積み重ねられた生ゴミも乾燥されると同時に好気性微生物の繁殖も活発になる。【００２３】    蓋４には網目２が隠れるほどの垂れをつけてあるので、雨が降っても網目２から内部に雨が入ることはない。【００２４】    図中の生ゴミ堆肥化容器の形状は角型であるが、容器本体と網目と蓋を円筒状にして、網棚と底網を円形にしても、効果は一緒である。
【図面の簡単な説明】
【００２５】
【図１】    本発明の実施の形態に係る、生ゴミ堆肥化容器の（図３）のＡ−Ａの断面図である。
【図２】    （図３）の生ゴミ堆肥化容器の蓋を除いた平面図である。
【図３】    本発明の生ゴミ堆肥化容器の側面図である。蓋は持ち上げて図示してある。
【図４】    （図１）に生ゴミを加えた、概念図である
【符号の説明】
【００２６】  １    容器本体
１´  容器本体を設置面から浮かせるため足
２    ハエやコバエは防げるが、風は通す網目
３    乾燥用の網棚
４    垂れつきの蓋
５    底網
５´  底網の足
【手続補正２】
【補正対象書類名】特許請求の範囲
【補正対象項目名】全文
【補正方法】変更
【補正の内容】
【特許請求の範囲】
【請求項１】
生ゴミを堆肥化するための容器であって、容器の上部の網目２の中ほどに、底から積み重ねる前の少量の生ゴミを広げて乾燥させるための、乾燥用の網棚３をを設けた生ゴミ堆肥化容器。
【請求項２】
容器本体と蓋と容器の上部の網目を円筒状にして、網棚と底網を円形にした、「請求項１」記載の生ゴミ堆肥化容器。
【手続補正３】
【補正対象書類名】図面
【補正対象項目名】図４
【補正方法】追加
【補正の内容】
【図４】
2016130207.tif 000006
【手続補正書】
【提出日】平成27年9月9日(2015.9.9)
【手続補正１】
【補正対象書類名】特許請求の範囲
【補正対象項目名】請求項１
【補正方法】変更
【補正の内容】
【請求項１】
生ゴミを堆肥化するための容器であって、足１’を持つ容器本体１の側面の上部を網目２にして、網目２の中ほどに、底から積み重ねる前の少量の生ゴミを広げて乾燥させるための、乾燥用の網棚３を設け、足５’付きの底網５を設け、容器本体１の上に、網目２に被さるような垂れを付けた蓋４を被せた構成の、生ゴミ堆肥化容器。
【手続補正２】
【補正対象書類名】明細書
【補正対象項目名】００１１
【補正方法】変更
【補正の内容】
【００１１】
本発明は上記の目的を達成するためには、生ゴミの水分量を減らすことが先ず大事だと考えた。
そこで生ゴミを積み重ねてからでは、乾燥が困難であるので、積み重ねる前の少量のうちに、容器の内部で乾燥することが出来るように、生ゴミ堆肥化容器は、足１’を持つ容器本体１の側面の上部を網目２にして、ハエやコバエは防げるが、風が通るようにして、網目２の中ほどの高さに、生ゴミを広げて乾燥できるように乾燥用の網棚３を設けた。
【手続補正３】
【補正対象書類名】明細書
【補正対象項目名】００１２
【補正方法】変更
【補正の内容】
【００１２】
そのうえに、底から積み重ねた生ゴミ内に繁殖した好気性微生物の繁殖を活発化させるために、容器本体１の底部分全体は、容器本体１とは独立させた足５’付きの底網５とした。容器本体１には、底を設けないで、設置面より浮かせるためと、容器本体１を固定するための足１’を付けた。
【手続補正４】
【補正対象書類名】明細書
【補正対象項目名】００１３
【補正方法】変更
【補正の内容】
【００１３】
このようにした容器本体１の上部に、容器本体１より大きく網目２に被さるような垂れを付けた蓋４を被せる。